(57)【特許請求の範囲】
【請求項１】
電槽短側面（９）に当接する補強板本体（１）と、電槽角部（１１）で電槽長側面（１０）方向に直角に折れ曲がって伸びた補強板係止部（２）と、補強板係止部（２）に形成された開口部（６）とを有するコの字状短側面補強板と、電槽長側面（１０）に形成された凸体（７）を有する電槽とを備え、前記開口部（６）と前記凸体（７）とが嵌合し短側面補強板が電槽に取り付けられた蓄電池。
【発明の詳細な説明】
【０００１】
【産業上の利用分野】
本発明は蓄電池に関する。
【０００２】
【従来の技術】
密閉鉛蓄電池及び高圧迫式開放鉛蓄電池等の短側面膨れによる早期容量低下対策として、電槽短側面に鋼製の補強板を取り付け、短側面強度を上げる方法がある。
【０００３】
従来の一般的な短側面補強板は、図４に示すように、電槽の短側面に当接する補強板本体１と、補強板本体１の両縁部（すなわち電槽角部）で電槽長側面方向に直角に折れ曲がって伸びた補強板係止部２とで、上面略コの字状に形成されているとともに、両補強板係止部２の先端部には、さらに屈曲部３が形成されている。
【０００４】
この短側面補強板は、図５に示すように、電槽長側面１０の角近傍に形成された補強板係止溝４と、補強板係止部２及び屈曲部３との嵌合により、電槽短側面９側に取り付けられる。なお、５は、補強板係止部２が振動等によりずり落ちるのを防止するため、単側面に形成された凸部である。
【０００５】
【発明が解決しようとする課題】
ところが、前記のような従来の短側面補強板は、コの字状で、且つ、先端部に屈曲部を設けた複雑な形状であり、製造上、多くの工数が必要であった。又、取り付けは短側面補強板を電槽短側面９へ当接後、短側面補強板を補強板係止溝４に沿ってスライドさせて行うが、構造によっては、短側面の凸部５をこえて所定の位置に固定する必要があり、取り付け作業に時間を要した。
【０００６】
さらに、電槽長側面１０に形成された補強板係止溝４は凹状に形成されているため、その分だけ極板群が収納できる電槽内寸が小さくなり、よって極板面積も小さくなることに伴い電池の容積効率が小さくなっていた。
【０００７】
本発明は、このような課題を解決するためになされたものであり、補強板の形状が単純で電池への取り付けが容易、かつ容積効率の大きな蓄電池を提供することを目的とする。
【０００８】
【課題を解決するための手段】
そこで、電槽短側面に当接する補強板本体と、電槽角部で電槽長側面方向に直角に折れ曲がって伸びた補強板係止部と、補強板係止部に形成された開口部とを有するコの字状短側面補強板と、電槽長側面に形成された凸体を有する電槽とを備え、前記開口部と前記凸体とが嵌合し短側面補強板が電槽に取り付けられた蓄電池により、さらに好ましくは、電槽長側面に形成された補強板係止部用凹部と補強板係止部用凹部に形成された凸体とを備え、電槽長側面補強板係止部とが略フラット面上に配されてなる前記蓄電池により上記問題を解決するものである。
【０００９】
【作用】
本発明においては、従来のようにコの字状の補強板係止部の先端に更に折り曲げ部分を設けた形状ではなく、コの字にのびた補強板係止部に開口部を設けたのみの単純な形状とする一方、電槽の長側面に凸体を形成するという簡単な構造である。電槽への短側面補強板の取り付けは、補強板本体面を短側面に押し当て、補強板係止部の開口部と電槽長側面の凸体とを嵌合させることにより容易に行うことができる。
【００１０】
したがって、従来の短側面補強板よりも構造が簡単であるとともに、電槽長側面にも従来のような補強板係止溝を設ける必要がないので電槽内寸法を大きくとることができ、同一外形寸法であっても容量の大きな蓄電池を提供することができる。
【００１１】
さらに、補強板係止部に対応する電槽長側面部を、補強板係止部の厚み分程度あるいはもう少し凹ませるともに、その凹部に補強板係止部の開口部が嵌合する凸体を形成することにより、電槽長側面と補強板係止部あるいは凸体が略フラット面状に配置されるので、蓄電池側面によけいな突出部が形成されず、容積効率のよい蓄電池を提供することができる。
【００１２】
なお、本発明は、鉛蓄電池に限らず、アルカリ蓄電池やそのほかの同等な構成の蓄電池に適用可能なことはいうまでもない。
【００１３】
【実施例】
以下、本発明を図で説明する。
【００１４】
図１と図２は本発明の１実施例にかかる短側面補強板と電槽とを示す図である。短側面補強板は、電槽短側面９に当接する補強板本体１と、電槽角部１１で電槽長側面１０方向に直角に折れ曲がって伸びた補強板係止部２と、補強板係止部２に形成された開口部６とを有するコの字状に形成されている。
【００１５】
なお、この例では、補強板係止部２は片側２枚づつ形成されているが、これ以上としてもよいし、補強板本体と同じ幅の１枚ものにしてもよい。また、開口部６の形状は本実施例では四角であるが、円形や切り欠き形状にすることもできる。さらに、その数も本実施例では補強板係止部１枚について１個であるが、必要に応じ複数個も設けてもよい。
【００１６】
８は電槽長側面の角部に形成された凹部であり、短側面補強板の補強板係止部２に対応する位置と形状に形成されている。７は凹部８に形成された凸体であり、補強板係止部２に形成された開口部６に嵌合する位置と形状に形成されている。
【００１７】
なお、凹部８と凸体７の位置と数とは補強板係止部２と開口部６に対応するよう構成することは言うまでもない。また、凹部８については、必ずしも設けなくてもよいが、補強板係止部２の厚み分程度あるいはもう少し凹ませることにより、電槽長側面１０と補強板係止部２あるいは凸体７が略フラット面状に配置されるので、蓄電池側面によけいな突出部が形成されず、容積効率のよい蓄電池を提供することができる。この、短側面補強板は鋼板やアルミニウム等で形成すれば．い。
【００１８】
【発明の効果】
以上、述べたように、本発明にかかる蓄電池は、電槽短側面に当接する補強板本体と、電槽角部で電槽長側面方向に直角に折れ曲がって伸びた補強板係止部と、補強板係止部に形成された開口部とを有するコの字状短側面補強板と、電槽長側面に形成された凸体を有する電槽とを備え、前記開口部と前記凸体とが嵌合して短側面補強板が電槽に取り付けられたこと、より好ましくは、電槽長側面に形成された補強板係止部用凹部と補強板係止部用凹部に形成された凸部とを備え、電槽長側面と補強板係止部とが略フラット面上に配されてなることを特徴とする。
【００１９】
これにより、補強板の形状が単純で且つ電池への取り付けも容易で、容積効率も大きな蓄電池を提供することができるので、本発明の効果は大きい。
【図面の簡単な説明】
【図１】本発明にかかる短側面補強板の１実施例を示す図である。
【図２】本発明にかかる電槽の１実施例を示す図である。
【図３】図１の短側面補強板を図２明の電槽に取り付けた状態を示す図である。
【図４】従来の短側面補強板の１例を示す図である。
【図５】従来の短側面補強板と電槽とを組合せた状態を示す図である。
【符号の説明】
１  補強板本体
２  補強板係止部
３  屈曲部
４  補強板係止溝
５  短側面凸部
６  開口部
７  凸体
８  補強板係止部用凹部
９  電槽短側面
１０  電槽長側面
１１  電槽角部
【図１】
0003606287.tif 000002
【図２】
0003606287.tif 000003
【図３】
0003606287.tif 000004
【図４】
0003606287.tif 000005
【図５】
0003606287.tif 000006